(57)【要約】【課題】  覆蓋を軽量化しても浴室ドアの開閉で浮き上がることがなく、浴室内からの見栄えが向上する浴室ユニットの天井点検口構造を提供する。【解決手段】  浴室ユニットの天井パネル３に点検口１を設け、点検口１に上方から覆蓋２を被せるようにした浴室ユニットの天井点検口構造において、天井パネル３は、表面板の裏側の点検口２の周囲を除いた部位に断熱材４を設けると共に点検口１の周囲に第一の磁石５を設けてなり、覆蓋２は、周縁部が中央部よりも高くなる段差が形成され、周縁部の天井パネル側に第二の磁石６を設けてなり、覆蓋２を天井パネル３の点検口１に被せると、第一の磁石５と第二の磁石６とが引き合う磁力によって覆蓋２と天井パネル３とがくっつくようにした。【選択図】  図１
2015063877.tif 000002
【特許請求の範囲】
【請求項１】
浴室ユニットの天井パネルに点検口を設け、前記点検口に上方から覆蓋を被せるようにした浴室ユニットの天井点検口構造において、
前記天井パネルは、裏側の前記点検口の周囲を除いた部位に断熱材を設けると共に前記点検口の周囲に第一の磁石を設けてなり、
前記覆蓋は、周縁部が中央部よりも高くなる段差が形成され、前記周縁部の前記天井パネル側に第二の磁石を設けてなり、
前記覆蓋を天井パネルの点検口に被せると、前記第一の磁石と第二の磁石とが引き合う磁力によって前記覆蓋と前記天井パネルとがくっつくようにしたことを特徴とする浴室ユニットの天井点検口構造。
【請求項２】
前記覆蓋は、前記周縁部の天井パネル側であって前記第一の磁石よりも中央部寄りにパッキン材を設け、前記第一の磁石と第二の磁石がくっつくと前記天井パネルの点検口側端部に形成した折返部が前記パッキン材を潰して止水ラインを形成するとともに、前記覆蓋の下面と前記天井パネルの下面とが面一になることを特徴とする請求項１記載の浴室ユニットの天井点検口構造。
【請求項３】
浴室ユニットの鋼板製の天井パネルに点検口を設け、点検口に上方から覆蓋を被せるようにした浴室ユニットの天井点検口構造において、
前記天井パネルは、裏側の前記点検口の周囲を除いた部位に断熱材を設けてなり、
前記覆蓋は、周縁部が中央部よりも高くなる段差が形成され、前記周縁部の前記天井パネル側に磁石を取り付け、
前記覆蓋を天井パネルの点検口に被せると、前記磁石によって前記覆蓋と前記鋼板とがくっつくようにしたことを特徴とする浴室ユニットの天井点検口構造。
【請求項４】
前記覆蓋は、前記周縁部の天井パネル側であって前記磁石よりも中央部寄りにパッキン材を設け、前記磁石と鋼板とがくっつくと前記天井パネルの点検口側端部に形成した折返部が前記パッキン材を潰して止水ラインを形成するとともに、前記覆蓋の下面と前記天井パネルの下面とが面一になることを特徴とする請求項３記載の浴室ユニットの天井点検口構造。
【発明の詳細な説明】
【技術分野】
【０００１】
本発明は、浴室ユニットの天井に設けられた点検口構造に関するものである。
【背景技術】
【０００２】
従来の浴室ユニットの天井点検口構造は、天井パネルに形成された点検口の上方から覆蓋を被せて密閉していた。覆蓋は、単に点検口周りに形成された折返部に載っているだけなので、浴室ドアの開閉時の風圧によって覆蓋が浮き上がることがないように、覆蓋の裏側に石膏ボードを二重に接着したり、鋼板パネルを接着したりすることによって重くしていた。そのため、施工時の作業性に改善の余地があった。
【０００３】
そこで、覆蓋を重量化することなく施工時の作業性を向上させた上で、浴室ドアの開閉時の風圧によって覆蓋が浮き上がることがないよう、例えば、特許文献１に示される技術が提案されている。
この特許文献１に示された技術では、天井パネルの点検口周りに起立片を立上げ、その起立片の上端部から外向きに折返部を形成している。一方、点検口の上方から被せる覆蓋の周縁部には係止具が固定され、係止具には、天井パネルの折返部に係止し得る係止部が形成されている。そして、点検口の上から覆蓋を被せると、折返部に係止部が係止されることによって、浴室ドアの開閉時の風圧によって覆蓋が浮き上がらないように構成している。
【先行技術文献】
【特許文献】
【０００４】
【特許文献１】特開２００６−３２８７４０号公報
【発明の概要】
【発明が解決しようとする課題】
【０００５】
しかし、特許文献１に示された技術では、メンテナンスを行う際などに覆蓋を取り外す場合は、浴室内から覆蓋を左右にずらせて係止部と折返部との係止を解除した上で覆蓋を持ち上げる。そのため、天井パネルの起立片と覆蓋の立上片との間には隙間が必要となる。特許文献１ではこの隙間を埋めるためにシールリップ（シール材）を設けている。ところが、このシールリップが浴室内から視認できない場合には、点検口と覆蓋の間の隙間が目立ってしまうし、シールリップが浴室内から視認可能な場合には、シールリップが見えてしまい見栄えが悪いという問題がある。
本発明は、上記問題を解決するためになされたもので、覆蓋を軽量化しても浴室ドアの開閉で浮き上がることがなく、浴室内からの見栄えが向上する浴室ユニットの天井点検口構造を提供することを目的とする。
【課題を解決するための手段】
【０００６】
上記課題を解決するために、請求項１記載の発明は、浴室ユニットの天井パネルに点検口を設け、前記点検口に上方から覆蓋を被せるようにした浴室ユニットの天井点検口構造において、前記天井パネルは、裏側の前記点検口の周囲を除いた部位に断熱材を設けると共に前記点検口の周囲に第一の磁石を設けてなり、前記覆蓋は、周縁部が中央部よりも高くなる段差が形成され、前記周縁部の前記天井パネル側に第二の磁石を設けてなり、前記覆蓋を天井パネルの点検口に被せると、前記第一の磁石と第二の磁石とが引き合う磁力によって前記覆蓋と前記天井パネルとがくっつくようにしたことを特徴とする。
これによれば、点検口に被せた覆蓋を天井パネルに磁力でくっつけたので、従来のように覆蓋に重りを載せなくても、ドア開閉時の風圧によって蓋が浮き上がることがない。また、覆蓋は重量化されないので、施工時の作業性が悪化することはない。さらに、覆蓋を取り外すときは、第一の磁石と第二の磁石が離れるように、覆蓋を真上に持ち上げるだけなので、従来技術のように覆蓋を左右にずらす必要がなく、点検口と覆蓋の間で隙間やシール材が目立つことがなく、浴室内からの見栄えが向上する。
【０００７】
また、請求項２記載の発明は、前記覆蓋は、前記周縁部の天井パネル側であって前記第一の磁石よりも中央部寄りにパッキン材を設け、前記第一の磁石と第二の磁石がくっつくと前記天井パネルの点検口側端部に形成した折返部が前記パッキン材を潰して止水ラインを形成するとともに、前記覆蓋の下面と前記天井パネルの下面とが面一になることを特徴とする。
これによれば、磁石がくっつくと覆蓋の下面と天井パネルの下面が面一になるから、天井と覆蓋との面合わせ精度が向上する。これにより、点検口周りに段差ができないから、影のできない美しい天井面を得ることができる。
【０００８】
また、請求項３記載の発明は、浴室ユニットの天井パネルに点検口を設け、点検口に上方から覆蓋を被せるようにした浴室ユニットの天井点検口構造において、前記天井パネルは、裏側の前記点検口の周囲を除いた部位に断熱材を設けてなり、前記覆蓋は、周縁部が中央部よりも高くなる段差が形成され、前記周縁部の前記天井パネル側に磁石を取り付け、前記覆蓋を天井パネルの点検口に被せると、前記磁石によって前記覆蓋と前記鋼板とがくっつくようにしたことを特徴とする。
これによれば、点検口に被せた覆蓋を天井パネルに磁力でくっつけたので、従来のように覆蓋に重りを載せなくても、ドア開閉時の風圧によって蓋が浮き上がることがない。また、覆蓋は重量化されないので、施工時の作業性が悪化することはない。さらに、覆蓋を取り外すときは、天井パネルと磁石が離れるように、覆蓋を真上に持ち上げるだけなので、従来技術のように覆蓋を左右にずらす必要がなく、点検口と覆蓋の間で隙間やシール材が目立つことがなく、浴室内からの見栄えが向上する。
【０００９】
また、請求項４記載の発明は、前記覆蓋は、前記周縁部の天井パネル側であって前記磁石よりも中央部寄りにパッキン材を設け、前記磁石と鋼板とがくっつくと前記天井パネルの点検口側端部に形成した折返部が前記パッキン材を潰して止水ラインを形成するとともに、前記覆蓋の下面と前記天井パネルの下面とが面一になることを特徴とする。
これによれば、点検口周りに段差ができないから、影のできない美しい天井面を得ることができる。
【発明の効果】
【００１０】
本発明によれば、覆蓋を軽量化しても浴室ドアの開閉で浮き上がることがなく、浴室内からの見栄えが向上する浴室ユニットの天井点検口構造を提供することが可能となる。
【図面の簡単な説明】
【００１１】
【図１】本発明の天井パネル構造の一例の天井点検口近傍を示す、図２のＸ部を拡大した断面図であり、（ａ）は覆蓋２が天井点検口１に保持される前の状態を示す断面図、（ｂ）は覆蓋２が天井点検口１に保持された状態を示す断面図である。
【図２】本発明の天井パネル構造の一例を示す断面図である。
【図３】本発明の天井パネル構造の他の例の天井点検口近傍を示す断面図であり、（ａ）は覆蓋２が天井点検口１に保持される前の状態を示す断面図、（ｂ）は覆蓋２が天井点検口１に保持された状態を示す断面図である。
【発明を実施するための形態】
【００１２】
以下、本発明の実施の形態を、図に基づいて説明する。
図１及び図２は、本発明を実施したユニットバスルームの天井パネル３を示している。
【００１３】
天井パネル３は鋼板を折曲加工して成形されており、天井パネル３の一部には、天井裏の電気配線、換気扇等のメンテナンスを行うために、天井点検口１が設けられている。また、天井パネル３の裏面には、石膏ボード等の天井裏補強材４(断熱材)が貼着されている。
【００１４】
天井点検口１は、メンテナンス時以外は通常、上方から覆蓋２が被せられて閉塞されている。
覆蓋２は鋼板を折曲加工して成形されており、覆蓋２の裏面に補強材（断熱材）として石膏ボード８等が貼着されている。なお、覆蓋２の鋼板は、天井パネル３の鋼板と同じ厚みである。
【００１５】
天井点検口１の周縁には、天井パネル３の端部から上向きに折り返された折返部１ａが全周に亘り形成されている。折返部１ａと天井裏補強材４の間には所定の空隙が設けられるように、天井点検口１の周囲には天井裏補強材４が貼着されていない領域を設けている。
【００１６】
覆蓋２の周縁には、覆蓋２の端部から上向きに折り返された立上部２ａと、立上部２ａの上端から外側に折り返されたフランジ部２ｂとが全周に亘り形成されている。すなわち、覆蓋２には、中央部よりも周縁部の方が高くなるような段差が形成されている。
【００１７】
また、覆蓋２のフランジ部２ｂの立上部２ａ側には、全周に亘ってパッキン材７が貼着されている。さらに、図１及び図２に示すように、磁石６（第二の磁石）が、パッキン材７の外側に設置されている。この第二の磁石６は、複数個所に設置されている。この第二の磁石６に対応する場所に磁石５（第一の磁石）が天井パネル３裏面の天井裏補強材４の端部に沿って設置される。この第一の磁石５は、天井点検口１の周囲において天井裏補強材４が貼着されていない領域に貼着される。また、第一の磁石５と第二の磁石６は、それぞれ異なる磁極が向き合うように配設され、磁力（引力）によって互いに引き合ってくっつくようになされている。
ここで天井点検口１の全体形状は図示していないが、特に限定されるものではなく、本発明であれば、略方形、長円形等いずれの形状でも適用可能であり、磁石５，６は天井点検口１及び覆蓋２の周縁に沿って複数個取り付けられる。
【００１８】
パッキン材７は、軟質のウレタン等の合成樹脂やゴム材等の弾性材でなり、覆蓋２の立上部２ａと磁石６との間、すなわちフランジ部２ｂに貼着され、天井パネル３の折返部１ａの真上に配設されている。そして、折返部１ａとパッキン材７の高さ方向寸法の和が、第一の磁石５と第二の磁石６の高さ方向寸法の和よりも長くなっている。このため、磁石５，６同士が引き合って当接することによって、折返部１ａによりパッキン材７が潰れる。これにより、天井点検口１周りの全周に止水ラインを形成することができ、ユニットバスルームの天井裏へ、水や水蒸気が浸入することを防止することができる。
【００１９】
また第一の磁石５と第二の磁石６の高さ方向寸法の和が、覆蓋２の中央部の上面とフランジ部２ｂの下面との距離と等しくなっており、覆蓋２と天井パネル３の鋼板は同じ厚みとなっているため、覆蓋２の下面と天井パネル３の下面とが面一になる。
また第一の磁石５の高さ方向寸法は、天井裏補強材４及び折返部１ａの高さ方向寸法よりも小さく設定されており、これによりメンテナンスの際に覆蓋２を持ち上げた後で左右にスライドした際でも、鋼板製の覆蓋２が第一の磁石５に張り付くことがなく、覆蓋２の着脱作業をスムーズに行うことができる。
【００２０】
次に、天井点検口１への覆蓋２の取り付け方法を説明する。
垂直に倒した覆蓋２をユニットバスルーム内から天井点検口１を通して天井裏に持ち上げる。そして、天井裏で覆蓋２を水平方向に直して第二の磁石６が第一の磁石５の真上に来るようにして天井点検口１に被せる。これにより覆蓋２が天井点検口１の周縁に磁力によって保持され、天井点検口１が閉塞される。
【００２１】
このような構造によれば、覆蓋２を軽量化しても浴室ドアの開閉によって浮き上がることがないばかりか、天井パネル３と覆蓋２の下面が面一となるので浴室内からの見栄えが向上する浴室ユニットの天井点検口構造を提供することができる。また、覆蓋２は天井点検口１の上から被せて装着するので、覆蓋２が天井点検口１から不意に落下することはなく、安全性が高い。
【００２２】
次に、本発明の第二の実施の形態について図を基にして説明する。図３は、天井点検口近傍を示す断面図であり、図３（ａ）は覆蓋２が天井点検口１に保持される前の状態を示す断面図、図３（ｂ）は覆蓋２が天井点検口１に保持された状態を示す断面図である。なお、前述した実施形態と同じ部材については同じ符号を用いその説明を省略する。
【００２３】
この実施の形態では、天井パネル３に設けた第一の磁石５を用いていない点で、前述した実施の形態とは異なる。
覆蓋２のフランジ部２ｂには、磁石９が、パッキン材７の外側に設置されている。この磁石９の高さ方向寸法は、覆蓋２の中央部の上面とフランジ部２ｂの下面との距離と等しくなっており、覆蓋２と天井パネル３の鋼板は同じ厚みとなっているため、磁石９を天井パネル３の鋼板にくっつけると、覆蓋２の下面と天井パネル３の下面とが面一になる。
この実施の形態によれば、用いる磁石の数を少なくしても第一の形態と同様の効果を得ることが可能となる。
【符号の説明】
【００２４】
１  …天井点検口
１ａ…折返部
２  …覆蓋
２ａ…立上部
２ｂ…フランジ部
３  …天井パネル
４  …天井裏補強材（断熱材）
５  …第一の磁石
６  …第二の磁石
７  …パッキン材
８  …石膏ボード
９  …磁石
【図１】
2015063877.tif 000003
【図２】
2015063877.tif 000004
【図３】
2015063877.tif 000005